(57)【要約】【課題】簡単に収納作業が行える電気掃除機を提供すること。【解決手段】掃除機本体１の前方に設けられた吸気口９と連通するホ−ス（図示せず）及び延長管３を介して接続される吸込具２と、延長管３の管部２４に設けられた略Ｌ型の係合部２５と、吸気口９の下方に設けられた凹状の被係合部２２と、掃除機本体１の後面を床面に置いた状態で先端２３ａが吸気口９の外周から被係合部２２の入口２２ａに向かって下方向に傾斜して形成された傾斜壁２３とを備え、係合部２５を傾斜壁２３に当接させた後、自重で傾斜壁２３に沿いながら移動して被係合部２２に嵌合させるようにしたもので、使用者は係合部２５を被係合部２２に正確に狙わずとも、傾斜壁２３に係合部２５を沿わせて手を離すだけで、傾斜壁２３に沿って係合部２５が移動して被係合部２２と嵌合させることができる。【選択図】図６
2019004963.tif 000002
【特許請求の範囲】
【請求項１】
塵埃吸引用の電動送風機を内蔵すると共に前方に吸気口を有する掃除機本体と、前記吸気口と連通するホ−ス及び延長管を介して接続される吸込具と、前記延長管又は前記吸込具の管部に設けられた略Ｌ型の係合部と、前記吸気口の下方に設けられた凹状の被係合部と、前記掃除機本体の後面を床面に置いた状態で先端が前記吸気口の外周から前記被係合部の入口に向かって下方向に傾斜して形成された傾斜壁とを備え、前記係合部を前記傾斜壁に当接させた後、自重で前記傾斜壁に沿いながら移動して前記被係合部に嵌合させることを特徴とした電気掃除機。
【請求項２】
吸気口を有する吸気枠体を備え、前記吸気枠体に被係合部と、前記被係合部の入口の両側に傾斜壁を設けた請求項１に記載の電気掃除機。
【請求項３】
傾斜壁を吸気枠体の外郭に略半周設けたことを特徴とした請求項２に記載の電気掃除機。
【発明の詳細な説明】
【技術分野】
【０００１】
本発明は、電気掃除機に関するものである。
【背景技術】
【０００２】
従来、掃除機本体に設けた被係合部に延長管又は吸込具に設けた係合部を上方より係合することで収納形態をとる電気掃除機において、前記収納時、硬質の床面で掃除機本体を支持するために前記掃除機本体に少なくとも２個所の当接面を形成し、掃除機本体に係合された吸込具から離れている当接面から吸込具側の当接面の間の掃除機本体外郭に床面方向に傾斜させた傾斜面を設けることで、軟質の床面において前記当接面が床面に沈み込んだ時でも前記掃除機本体に設けた被係合部と延長管又は吸込具に設けた係合部の係合が維持されるようにしたものがある（例えば、特許文献１参照）。
【０００３】
図８は、上記特許文献１に記載された従来の電気掃除機の収納時の要部側面図である。
【０００４】
図８において、従来の電気掃除機３０は、掃除機本体３１と、掃除機本体３１に設けた被係合部３１ａと、吸込具３２と、延長管３３と、延長管３３又は吸込具３２に設けた係合部３３ａと、掃除機本体３１に設けた２個所の当接面３４、３５とから構成されている。
【先行技術文献】
【特許文献】
【０００５】
【特許文献１】特開２００２−２０９８０７号公報
【発明の概要】
【発明が解決しようとする課題】
【０００６】
しかしながら、前記特許文献１に記載された従来の電気掃除機の構成では、掃除機本体３１に設けた被係合部３１ａに延長管３３又は吸込具３２に設けた係合部３３ａを上方より係合する際、延長管３３又は吸込具３２に設けた係合部３３ａと掃除機本体３１の被係合部３１ａの位置を正確に合わせないと、係合部３３ａと被係合部３１ａとの係合が外れてしまうという課題を有していた。
【０００７】
本発明は、前記従来の課題を解決するもので、延長管又は吸込具に設けた係合部と掃除機本体に設けた被係合部を容易に嵌合させ、簡単に収納作業が行える電気掃除機を提供することを目的とする。
【課題を解決するための手段】
【０００８】
前記従来の課題を解決するために、本発明の電気掃除機は、塵埃吸引用の電動送風機を内蔵すると共に前方に吸気口を有する掃除機本体と、前記吸気口と連通するホ−ス及び延長管を介して接続される吸込具と、前記延長管又は前記吸込具の管部に設けられた略Ｌ型の係合部と、前記吸気口の下方に設けられた凹状の被係合部と、前記掃除機本体の後面を床面に置いた状態で先端が前記吸気口の外周から前記被係合部の入口に向かって下方向に傾斜して形成された傾斜壁とを備え、前記係合部を前記傾斜壁に当接させた後、自重で前記傾斜壁に沿いながら移動して前記被係合部に嵌合させるようにしたもので、使用者が延長管又は吸込具の略Ｌ型の係合部を、前記吸気口の下方に設けられた被係合部を正確に狙わずとも、被係合部の入口に設けた傾斜壁に係合部を沿わせて手を離すだけで、前記傾斜状の壁に沿って係合部が移動して前記吸気口下方の凹状の被係合部と嵌合させることができる。
【発明の効果】
【０００９】
本発明の電気掃除機は、掃除機本体を小型化させるとともに、掃除機本体の収納作業を容易に行えることができる使い勝手の良い電気掃除機を提供することができる。
【図面の簡単な説明】
【００１０】
【図１】本発明の実施の形態１における電気掃除機の収納時の斜視図
【図２】同電気掃除機の掃除機本体の主断面図
【図３】同掃除機本体の分解斜視図
【図４】同掃除機本体の下方からの斜視図
【図５】同電気掃除機の延長管の斜視図
【図６】同掃除機本体の上方からの斜視図
【図７】図１のＡ−Ａ断面図
【図８】従来の電気掃除機の収納時の要部側面図
【発明を実施するための形態】
【００１１】
第１の発明は、塵埃吸引用の電動送風機を内蔵すると共に前方に吸気口を有する掃除機本体と、前記吸気口と連通するホ−ス及び延長管を介して接続される吸込具と、前記延長管又は前記吸込具の管部に設けられた略Ｌ型の係合部と、前記吸気口の下方に設けられた凹状の被係合部と、前記掃除機本体の後面を床面に置いた状態で先端が前記吸気口の外周から前記被係合部の入口に向かって下方向に傾斜して形成された傾斜壁とを備え、前記係合部を前記傾斜壁に当接させた後、自重で前記傾斜壁に沿いながら移動して前記被係合部に嵌合させるようにしたもので、使用者が延長管又は吸込具の略Ｌ型の係合部を、前記吸気口の下方に設けられた被係合部を正確に狙わずとも、被係合部の入口に設けた傾斜壁に係合部を沿わせて手を離すだけで、前記傾斜状の壁に沿って係合部が移動して前記吸気口下方の凹状の被係合部と嵌合させることができる。
【００１２】
第２の発明は、特に、第１の発明の吸気口を有する吸気枠体を備え、前記吸気枠体に被係合部と、前記被係合部の入口の両側に傾斜壁を設けたもので、使用者が前記両側のいずれかの傾斜壁に前記延長管又は吸込具の略Ｌ型の係合部を合わせるだけで、被係合部に簡単に嵌合させることができる。
【００１３】
第３の発明は、特に、第２の発明の傾斜壁を吸気枠体の外郭に略半周設けたもので、前記延長管又は吸込具の略Ｌ型の係合部を前記吸気枠体の外郭に当接させて手を離すだけで、係合部を前記凹状の被係合部に嵌合させることができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における電気掃除機の収納時の斜視図、図２は、同電気掃除機の掃除機本体の主断面図、図３は、同掃除機本体の分解斜視図、図４は、同掃除機本体の下方からの斜視図、図５は、同電気掃除機の延長管の斜視図、図６は、同掃除機本体の上方からの斜視図、図７は、図１のＡ−Ａ断面図である。
【００１６】
図１において、本実施の形態における電気掃除機４０は、吸引風を発生させる電動送風機５（図２参照）を内蔵する掃除機本体１と、被清掃面の塵埃を吸引する吸込具２と、一端が吸込具２に接続される延長管３と、一端が延長管３の他端に接続され、他端が掃除機本体１に接続されるホース４とから構成されている。
【００１７】
吸込具２には、被清掃面の塵埃を掻きあげる回転ブラシ（図示せず）と、回転ブラシを回転駆動する電動機（図示せず）とが内蔵されている。また、ホース４の延長管３側の端部には、使用者が掃除する際に保持する把手部６を備えた先端パイプ７が設けられており、この先端パイプ７を介して延長管３とホース４とが着脱自在に接続されている。さらに、ホース４の掃除機本体１側の端部には、接続パイプ８が設けられており、この接続パイプ８を介して掃除機本体１の吸気口９とホース４とが着脱自在に接続されている。なお、本実施の形態では、吸気口９は後述する吸気枠体１７に設けられている。
【００１８】
また、図１に示すように掃除機本体１の後面を床面に接地させ、吸込具２と延長管３とホース４を掃除機本体１に接続させた状態で収納させることができる。
【００１９】
図２、図３に示すように、掃除機本体１は、前方に集塵室１０を形成し、後方に電動送風機５とコード巻取り装置１１を具備した下枠体１２と、掃除機本体１の上面を形成する上枠体１３から構成されており、下枠体１２と上枠体１３はネジ（図示せず）等によって結合されている。
【００２０】
また、下枠体１２の前方下面には、走行用のキャスター１４が、後方両側面には車輪１５が回動自在にそれぞれ取り付けられている。さらに、集塵室１０の前方端部には弾性材料で形成された逆止弁１６が取り付けられており、逆止弁１６を覆うように吸気枠体１７が取り付けられている。また、掃除機本体１の後部には電動送風機５により排出された排気を、コード巻取り装置１１内部を通過させた後、排出するための排気口１８が構成されている。
【００２１】
また、集塵室１０の上方は開放状態となっており、その開放部上端全周にパッキン１９を有したものである。また、集塵袋２０が集塵室１０の吸気口９に対向させつつ、着脱自在に装着されている。
【００２２】
後方部を支点として掃除機本体１に回動自在に設けた蓋体２１は、集塵室１０の上方開口部１０ａを覆うものである。この蓋体２１は、閉状態で、パッキン１９と平面が略同形状で蓋体２１が閉状態となった時、パッキン１９と圧接しエアータイトを行うことができる。
【００２３】
また、下枠体１２と上枠体１３後方には、掃除機本体１を床面に倒立させて収納させるための脚１２ａ、脚１３ａ、脚１３ｂが複数設けられている。
【００２４】
図４、図５に示すように、吸気枠体１７の下方に略凹形状の被係合部２２が設けられている。さらに吸気枠体１７には、掃除機本体１の後面を床面に置いた状態で、吸気口９の外周から被係合部２２の入口２２ａに向かって下方向に傾斜して形成された傾斜壁２３が左右対称に設けられている。本実施の形態では、傾斜壁２３は略半周設けられている。
また、傾斜壁２３の先端２３ａは、被係合部２２の入口２２ａに接続するように形成されている。
【００２５】
延長管３は、吸気枠体１７の略凹形状の被係合部２２に嵌り合うように、管部２４の外郭面に略Ｌ型の係合部２５が固定されており、係合部２５の先端には引掛部２６と根元には傾斜面２７が設けられている。
【００２６】
以上のように構成された本実施の形態における電気掃除機について、以下その動作、作用を説明する。
【００２７】
図６、図７に示すように、掃除機本体１の後面を床面に接地させた状態で、延長管３に
備えた係合部２５の傾斜面２７を吸気枠体１７の傾斜壁２３の先端２３ａに当接させながら使用者が手を離すと、延長管３は、延長管３自身の自重で傾斜面２７に沿って滑り落ち始める。
【００２８】
その次に、係合部２５の引掛部２６が、傾斜壁２３の先端２３ａに引掛りながら傾斜壁２３の先端２３ａに沿って滑り落ち、被係合部２２の入口２２ａに到達した時点で、引掛部２６と略凹形状の被係合部２２とが装着状態となる。
【００２９】
すなわち、使用者が吸気枠体１７の被係合部２２に延長管３の係合部２５を合わせて装着させる必要が無く、吸気枠体１７の被係合部２２に対して、広範囲に形成された左右のいずれか一方の傾斜壁２３からの装着が可能となる。
【００３０】
さらには、吸気枠体１７の外郭範囲内で構成することができ、掃除機本体１を大きくすることなく、小型化ができるのである。
【００３１】
また、延長管３に吸込具２とホース４の先端パイプ７が接続された状態でも、同様の効果が得られることは言うまでもない。
【００３２】
なお、上記実施の形態では、延長管３の管部２４に略Ｌ型の係合部２５を設けたが、吸込具２の管部（図示せず）に略Ｌ型の係合部２５を設けても同様の効果が得られることは言うまでもない。
【産業上の利用可能性】
【００３３】
以上のように、本発明にかかる電気掃除機は、延長管を掃除機本体に装着させて掃除機本体を収納する作業を容易に行えることができ、さらには掃除機本体を大きくすることなく小型化ができるので、家庭用や業務用の各種電気掃除機等に適用できる。
【符号の説明】
【００３４】
１  掃除機本体
２  吸込具
３  延長管
４  ホース
５  電動送風機
６  把手部
７  先端パイプ
８  接続パイプ
９  吸気口
１０  集塵室
１０ａ  上方開口部
１１  コード巻取り装置
１２  下枠体
１２ａ、１３ａ、１３ｂ  脚
１３  上枠体
１４  キャスター
１５  車輪
１６  逆止弁
１７  吸気枠体
１８  排気口
１９  パッキン
２０  集塵袋
２１  蓋体
２２  被係合部
２２ａ  入口
２３  傾斜壁
２３ａ  先端
２４  管部
２５  係合部
２６  引掛部
２７  傾斜面
４０  電気掃除機
【図１】
2019004963.tif 000003
【図２】
2019004963.tif 000004
【図３】
2019004963.tif 000005
【図４】
2019004963.tif 000006
【図５】
2019004963.tif 000007
【図６】
2019004963.tif 000008
【図７】
2019004963.tif 000009
【図８】
2019004963.tif 000010